【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
記録層を有する光ディスクであって、
前記記録層は、記録再生方向が外周から内周方向であるトラックと、
前記記録層への記録パワーを決定するための試し記録領域とを有し、
前記試し記録領域は、試し記録の際に、前記試し記録領域中の内周側から順に使用される複数の分割領域を含む、光ディスク。
【請求項２】
記録層を有する光ディスクであって、
前記記録層は、記録再生方向が外周から内周方向であるトラックと、
前記記録層への記録パワーを決定するための試し記録領域とを有し、
前記試し記録領域は、複数の分割領域を含み、
前記複数の分割領域は、前記試し記録領域の内周側の分割領域から外周側の分割領域の順で試し記録されるように配置されている、光ディスク。
【請求項３】
第１の記録層と第２の記録層を有する光ディスクであって、
前記第１の記録層は、
記録再生方向が内周から外周方向である第１のトラックと、
前記第１の記録層への記録パワーを決定するための第１の試し記録領域とを有し、
前記第１の試し記録領域は、
試し記録の際に、前記第１の試し記録領域中の外周側から順に使用される複数の分割領域を含み、
前記第２の記録層は、
記録再生方向が外周から内周方向である第２のトラックと、
前記第２の記録層への記録パワーを決定するための第２の試し記録領域とを有し、
前記第２の試し記録領域は、
試し記録の際に、前記第２の試し記録領域中の内周側から順に使用される複数の分割領域を含む、
光ディスク。
【請求項４】
第１の記録層と第２の記録層を有する光ディスクであって、
前記第１の記録層は、
記録再生方向が内周から外周方向である第１のトラックと、
前記第１の記録層への記録パワーを決定するための第１の試し記録領域とを有し、
前記第１の試し記録領域は、第１の複数の分割領域を含み、
前記第１の複数の分割領域は、前記第１の試し記録領域の外周側の分割領域から内周側の分割領域の順で試し記録されるように配置されており、
前記第２の記録層は、
記録再生方向が外周から内周方向である第２のトラックと、
前記第２の記録層への記録パワーを決定するための第２の試し記録領域とを有し、
前記第２の試し記録領域は、第２の複数の分割領域を含み、
前記第２の複数の分割領域は、前記第２の試し記録領域の内周側の分割領域から外周側の分割領域の順で試し記録されるように配置されている、光ディスク。
【請求項５】
光ディスクに対し情報を記録する際の記録パワーを決定する記録パワー決定方法において、
光ディスクの所定の領域に所定のデータを書き込む試し記録を行うことにより記録パワーを決定し、
前記所定の領域に近接する領域に対し、前記決定した記録パワー以上のパワーで記録を行うことを特徴とする記録パワー決定方法。
【請求項６】
前記光ディスクにおいて光スポットの進行方向は内周から外周へ向かう方向であり、前記所定の領域は、前記試し記録を行うために外周側の部分から使用され、
前記近接する領域は前記所定の領域において試し記録が行われた部分の内周側の領域であることを特徴とする請求項５記載の記録パワー決定方法。
【請求項７】
前記光ディスクにおいて光スポットの進行方向は内周から外周へ向かう方向であり、前記所定の領域は、前記試し記録を行なうために内周側から使用され、
前記近接する領域は前記所定の領域において試し記録が行われた部分の外周側の領域であることを特徴とする請求項５記載の記録パワー決定方法。
【請求項８】
前記光ディスクにおいて光スポットの進行方向は外周から内周へ向かう方向であり、前記所定の領域は、前記試し記録を行なうために外周側から使用され、
前記近接する領域は前記所定の領域において試し記録が行われた部分の内周側の領域であることを特徴とする請求項５記載の記録パワー決定方法。
【請求項９】
前記光ディスクにおいて光スポットの進行方向は外周から内周へ向かう方向であり、前記所定の領域は、前記試し記録を行なうために内周側から使用され、
前記近接する領域は前記所定の領域において試し記録が行われた部分の外周側の領域であることを特徴とする請求項５記載の記録パワー決定方法。
【請求項１０】
前記所定の領域内のテスト記録が直前に行なわれた領域の内側の及び外側の領域に、決定した記録パワーで記録を行うことを特徴とする請求項５記載の記録パワー決定方法。
【請求項１１】
光ディスクに情報を記録する際の記録パワーを決定する方法であって、
光スポットの進行方向を内周から外周方向とし、所定の試し記録領域を内周側から使用しながら、前記記録パワーを決定するために前記試し記録領域に所定のデータを書き込む試し記録を行い、
前記試し記録に用いる記録パワーを前記所定の記録領域において所定の範囲毎に低パワー側から高パワー側に更新することを特徴とする記録パワー決定方法。
【請求項１２】
光ディスクに情報を記録する際の記録パワーを決定する方法であって、
光スポットの進行方向を外周から内周方向とし、所定の試し記録領域を外周側から使用しながら、前記記録パワーを決定するために前記試し記録領域に所定のデータを書き込む試し記録を行い、
前記試し記録に用いる記録パワーを前記所定の記録領域において所定の範囲毎に低パワー側から高パワー側に更新することを特徴とする記録パワー決定方法。
【請求項１３】
光ディスクに情報を記録する際の記録パワーを決定する方法であって、
前記記録パワーを決定するために、光ディスクの所定の領域に所定のデータを書き込む試し記録を行い、
前記所定の領域への試し記録中に記録が中断した場合に、その記録が中断した前記所定の領域に再度所定のパワーで記録を行う
ことを特徴とする記録パワー決定方法。
【請求項１４】
光ディスクに情報を記録する光ディスク装置において、
光ディスクの所定の領域に所定のデータを書き込む試し記録を行うことにより記録パワーを決定する記録パワー決定手段と、
前記所定の領域に近接する領域に対し、前記記録パワー決定手段により決定された記録パワー以上のパワーで記録を行う記録手段と
を備えたことを特徴とする光ディスク装置。
【請求項１５】
前記光ディスクにおいて光スポットの進行方向は内周から外周へ向かう方向であり、前記所定の領域は、前記試し記録を行うために外周側の部分から使用され、
前記近接する領域は前記所定の領域において試し記録が行われた部分の内周側の領域であることを特徴とする請求項１４記載の光ディスク装置。
【請求項１６】
前記光ディスクにおいて光スポットの進行方向は内周から外周へ向かう方向であり、前記所定の領域は、前記試し記録を行なうために内周側から使用され、
前記近接する領域は前記所定の領域において試し記録が行われた部分の外周側の領域であることを特徴とする請求項１４記載の光ディスク装置。
【請求項１７】
前記光ディスクにおいて光スポットの進行方向は外周から内周へ向かう方向であり、前記所定の領域は、前記試し記録を行なうために外周側から使用され、
前記近接する領域は前記所定の領域において試し記録が行われた部分の内周側の領域であることを特徴とする請求項１４記載の光ディスク装置。
【請求項１８】
前記光ディスクにおいて光スポットの進行方向は外周から内周へ向かう方向であり、前記所定の領域は、前記試し記録を行なうために内周側から使用され、
前記近接する領域は前記所定の領域において試し記録が行われた部分の外周側の領域であることを特徴とする請求項１４記載の光ディスク装置。
【請求項１９】
前記所定の領域内のテスト記録が直前に行なわれた領域の内側及び外側の領域に、決定した記録パワーで記録を行うことを特徴とする請求項１４記載の光ディスク装置。
【請求項２０】
光ディスクに情報を記録する光ディスク装置において、
光スポットの進行方向を内周から外周方向とし、前記所定の試し記録領域を内周側から使用し、記録パワーを決定するために前記試し記録領域に所定のデータを書き込む試し記録を行う手段と、
前記試し記録に用いる記録パワーを前記所定の記録領域において所定の範囲毎に低パワー側から高パワー側に更新する手段と
を備えたことを特徴とする光ディスク装置。
【請求項２１】
光ディスクに情報を記録する光ディスク装置において、
光スポットの進行方向を外周から内周方向とし、前記所定の試し記録領域を外周側から使用し、記録パワーを決定するために前記試し記録領域に所定のデータを書き込む試し記録を行う手段と、
前記試し記録に用いる記録パワーを前記所定の記録領域において所定の範囲毎に低パワー側から高パワー側に更新する手段と
を備えたことを特徴とする光ディスク装置。
【請求項２２】
光ディスクに情報を記録する光ディスク装置において、
記録パワーを決定するために光ディスクの所定の領域に所定のデータを書き込む試し記録を行う手段と、
前記所定の領域への試し記録中に記録が中断した場合に、その記録が中断した前記所定の領域に再度所定のパワーで記録を行う手段と
を備えたことを特徴とする光ディスク装置。